(57)【特許請求の範囲】
【請求項１】
透光性屋根（４）を設け、前記屋根（４）の下方に、光を遮断自在な天井（１０）を設けてある建物であって、
前記天井（１０）に、前記屋根（４）からの吊り下げ具（１７）を挿通自在な吊り下げ口（１８）を設け、前記吊り下げ口（１８）を開閉自在な扉（２３）を設け、前記扉（２３）を開状態にして前記吊り下げ口（１８）に前記吊り下げ具（１７）を挿通させた時に前記吊り下げ口（１８）を上方から着脱自在に覆う遮光蓋（２４）を、前記扉（２３）の上方に設け、前記遮光蓋（２４）に、前記吊り下げ具（１７）の吊り下げワイヤ（２１）を挿通させる挿通孔（２４ｂ）を設けてある建物。
【発明の詳細な説明】
【０００１】
【発明の属する技術分野】
本発明は、透光性屋根を設け、前記屋根の下方に、光を遮断自在な天井を設けてある建物に関する。
【０００２】
【従来の技術】
この種の建物は、透光性屋根からの太陽光を天井部分を通して建物内に取り入れて、その明るさの中で、例えば、スポーツや展示会等の催しを実施（以後、第一実施状態という）したり、又は、前記天井で太陽光を遮断して、例えば、映画上映やコンサート等の催しを実施（以後、第二実施状態という）したりすることが可能で、その代表的なものとしては多目的ホール等の建物が上げられる。
そして、従来のこの種の建物としては、各催しに使用する例えば舞台装置や照明装置等の吊り下げ対象物を天井下方にセットするために、前記天井にと
吊り下げ対象物を天井から吊り下げるための吊り下げワイヤを設け、その吊り下げワイヤの上端部を前記天井に取り付け、下端部を前記吊り下げ対象物に取り付けるように構成してあるものがあり、前記吊り下げ対象物の位置を上下させるには、前記吊り下げワイヤの長さを変えたり、天井そのものを上下移動させて対応していた。
【０００３】
【発明が解決しようとする課題】
上述した従来の建物によれば、吊り下げ対象物を天井で受けることになるから、その重さに耐え得るように、天井そのものを強化しておく必要があり、例えば、部材断面積を増やして対処する場合には、天井の重量が増加して、屋根からの吊り下げる装置が大型化する等、全体としたコストアップにつながる問題点がある。
【０００４】
この問題点を解消するためには、前記吊り下げ対象物を天井に支持させるのではなく、屋根からの専用吊り下げ具を用いて直接的に支持することが好ましく、その具体構成としては、前記天井に前記吊り下げ具を挿通自在な吊り下げ口を設け、前記吊り下げ具の吊り下げワイヤを前記吊り下げ口を通して前記吊り下げ対象物に取り付けるものが考えられる。
しかし、これによれば、天井そのものの余分な補強は必要なくなるが、新たな問題として、前記第二実施状態（映画上映やコンサート等の催しを実施する状態）時に、前記吊り下げ口から、太陽光が建物内に透過し、催しの障害となることが考えられる。だからといって、吊り下げワイヤのみを挿通可能な程度に前記吊り下げ口径を小さくして遮光しやすくすれば、前記吊り下げワイヤの下端部に設けられた滑車部が、天井の下方に露出したままになり、例えば、吊り下げ対象物を使用しない場合には、天井下方に前記滑車部が突出して天井の美観性を損なうという問題点が発生する。
【０００５】
従って、本発明の目的は、上記問題点を解消し、屋根からの光が前記吊り下げ口を通して下方へ漏れ難く、且つ、吊り下げ具を使用しない場合には、天井下面の外観をすっきりとさせて良好な美観性を確保できる建物を提供するところにある。
【０００６】
【課題を解決するための手段】
〔構成〕
請求項１に係わる本発明の特徴構成は、透光性屋根の下方に設けられ且つ光を遮断自在な天井に、前記屋根からの吊り下げ具を挿通自在な吊り下げ口を設け、前記吊り下げ口を開閉自在な扉を設け、前記扉を開状態にして前記吊り下げ口に前記吊り下げ具を挿通させた時に前記吊り下げ口を上方から着脱自在に覆う遮光蓋を、前記扉の上方に設け、前記遮光蓋に、前記吊り下げ具の吊り下げワイヤを挿通させる挿通孔を設けてあるところにある。
【０００７】
〔作用及び効果〕
請求項１に係わる本発明の特徴構成によれば、前記天井に、前記屋根からの吊り下げ具を挿通自在な吊り下げ口を設け、前記吊り下げ口を開閉自在な扉を設け、前記扉を開状態にして前記吊り下げ口に前記吊り下げ具を挿通させた時に前記吊り下げ口を上方から着脱自在に覆う遮光蓋を、前記扉の上方に設け、前記遮光蓋に、前記吊り下げ具の吊り下げワイヤを挿通させる挿通孔を設けてから、前記吊り下げ具で吊り下げる吊り下げ対象物の荷重を、前記天井に支持させることなく受けることが可能となり、前記天井に対する余分な補強が必要なくなる。
また、吊り下げ具を吊り下げ口に挿通させてない状態においては、前記吊り下げ口を前記扉で閉状態にして光が下方に漏れるのを防止できる一方、吊り下げ具を吊り下げ口に挿通させる状態においては、前記扉が開いて開状態となる吊り下げ口を、前記遮光蓋で覆い、光が下方に漏れるのを防止することができる。更には、吊り下げ口に吊り下げ具を挿通させてある状態から上昇させて天井より上方へ引退させる状態においても、遮光蓋が外れて開状態となる吊り下げ口を、前記扉で塞ぎ、光が下方に漏れるのを防止することができる。この様に、何れの状態においても、吊り下げ口から光が下方に漏れるのを防止することができる。
また、前記遮光蓋で遮光している状態のまま、前記挿通孔を通して吊り下げワイヤを上下操作することも可能となり、吊り下げ具の使い勝手を向上させることができる。
一方、前記吊り下げ具を天井より上方に引退させることができると共に、その引退状態においては、天井面を前記扉で塞いだ状態にでき、吊り下げワイヤや、その下端部に備えた滑車部等が天井下面に露出しないようにすることによって、天井面をスッキリした外観に構成でき、美観性を向上させることが可能となる。
【０００８】
【発明の実施の形態】
以下に本発明の実施の形態を図面に基づいて説明する。
【０００９】
本実施形態で説明する建物Ｔは、ドーム状建造物であり、野球やラグビー・サッカー・フットボール・陸上競技で代表される各種のスポーツや、コンサート・展示会で代表される各種のイベントなどに使用される多目的施設であって、図１〜図５に示すように、中央にアリーナ１を、かつ、その外周に多層構造の観覧席２をそれぞれ配置して構成されている。具体的には、下部構造体３に、平面視が円形のドーム形式の屋根４を連接して構成されている。
【００１０】
前記下部構造体３は、図１に示すように、場所打ちコンクリート拡底杭５と既製コンクリート杭６とで支持される外周形成用の環状部７と、異形摩擦杭８で支持されて前記アリーナ１の床を形成するセンタースラブ部９とからなり、観覧席２は、環状部７に形成されている。
前記環状部７は、前記屋根４の上面に一連的に連なるとともに上下方向の中間部が外方に突出する曲面形状に外壁面を形成してあり、その外壁面は、複数の遮光性外装材７ａを並置する状態に取り付けて構成されている。
【００１１】
前記屋根４は、外周部を前記下部構造体３に支持させたトラス構造体４ａによって構成してあり、屋根外表面は、前記トラス構造体４ａに光透過性の屋根材４ｂを取り付けて、室内に太陽光を取り入れることができるように構成してある。尚、前記屋根材４ｂとしては、合成樹脂板やガラス板であり、この実施形態では、表面にフッ素樹脂コーティングが施されたポリカーボネイト板を使用している。
また、前記屋根４の下方には、屋根４を透過した太陽光を前記アリーナ１や観覧席２へ導いたり又は遮断したりする採光調節自在な天井１０を設けてある。
前記天井１０は、上下移動自在に形成された複数の遮光体１１を、隣合うものの端部同士が互いに接触して内部への光の入射を阻止する状態に配置し、それら遮光体１１の上下操作手段を設けて構成されている。
前記遮光体１１は、前記屋根４の中心を通る縦軸芯上に位置する円盤状中央遮光体１１ａと、それと同芯状に位置する複数のリング状遮光体１１ｂとから構成され、各遮光体１１は、トラス構造体４ａに対して揚重装置のワイヤＷを介して吊り支持されている。そして、遮光体１１は、相互に上下方向に位置変更《昇降》することにより、例えば、隣合うものの端部同士を上下方向に離隔させてその隣合うものの端部同士の隙間から、建物内部へ光を取り入れたり（図２・３・４参照）、又は、中央遮光体１１ａを最も低く位置させるとともに、リング状遮光体１１ｂを半径方向外側のものほど上位に位置するように配置させた状態で半径方向で隣合う遮光体１１の端部同士を互いに接触させて遮光天井を形成したり（図５参照）できるように構成されている。
また、遮光体１１は、図７に示すように、金属製のフレーム１２と、前記フレーム１２に沿って上下面を構成するように取り付けられた上下各金属板１３，１４と、両金属板１３，１４とフレーム１２とで囲まれた遮光体内空部に充填してある吸音材１５とを設けて構成してある。尚、下金属板１４には、多数の孔を形成してあり、前記吸音材１５の吸音効果を向上させるように構成してある。
【００１２】
又、前記トラス構造体４ａには、コンサート・展示会等の各種イベント実施時に使用する棚状トラス部材（舞台照明器具や音響器具等を取り付けて使用）１６を、所定の空間位置に配置するのに吊り下げる複数の吊り下げ具１７を、前記揚重装置とは別に取り付けてあり（図５参照）、前記遮光体１１には、これらの吊り下げ具１７を、挿通自在な吊り下げ口１８を複数箇所に設けてある。
因に、前記吊り下げ具１７は、図６・８に示すように、前記トラス構造体４ａに対して水平軸芯周りに回転自在に取り付けられた第一滑車１９と、前記棚状トラス部材１６等の吊り上げ対象物への取付部２０ａを備えた第二滑車２０と、両滑車間に掛け回してウインチ（不図示）に端部を連結してある吊り下げワイヤ２１とを備えて構成してあり、前記第二滑車２０を、天井１０の吊り下げ口１８を挿通させた状態で前記アリーナ１まで下げて、前記取付部２０ａを棚状トラス部材１６に取り付けて、前記ウインチによって引き上げることによって、棚状トラス部材１６を吊り上げて所定の位置にセットすることができる。また、前記第一滑車１９と第二滑車２０との間には、互いを嵌合させた状態でロック自在なロック手段Ｒを設けてあり、例えば、吊り下げ具１７を使用しない場合には、吊り下げワイヤ２１をウインチで巻き取って第二滑車２０を上昇させ、両滑車どうしを位置固定しておくことができる。因に、前記ロック手段Ｒは、第一滑車１９の下端部に形成した第一ロックピン挿入部１９ａと、第二滑車２０の上端部に形成した第二ロックピン挿入部２０ｂと、両挿入部に貫通させて互いをロックするロックピンＲ１とで構成してある。
【００１３】
次に、前記遮光体１１の吊り下げ口１８部分の詳細について説明する。
前記遮光体１１の吊り下げ口１８周部には、図６・７に示すように、前記第二滑車２０の縦寸法より大きい長さ寸法に形成した金属製筒部材２２を、その下端縁部が密接する状態に取り付けてあり、更には、前記吊り下げ口１８を開閉自在な金属製扉２３を、遮光体１１の下面と面一状態に取り付けてある。
また、前記筒部材２２の上開口端部には、その開口を塞いで遮光自在な金属製遮光蓋２４を着脱自在に設けてある。具体的には、載置自在に設けてある。
前記筒部材２２の上端部には、前記遮光蓋２４との密接性をよくするために、ゴム製のシール部材２２ａを設けてある。
前記扉２３は、図に示すように、下方へ揺動操作することによって開状態となる観音開き形式の扉であり、一対の扉本体２３ａは、枢支軸部分に仕組まれたバネ部材（不図示）によって閉付勢されている。そして、前記筒部材２２の内空部を通して降ろされた第二滑車２０の重量が作用することによって下方側に押されて開状態となる。また、扉本体２３ａの上面には、前記第二滑車２０及び吊り下げワイヤ２１が扉本体２３ａに直接的に摺れるのを防止するための保護フレーム２３ｂを取り付けてある。また、保護フレーム２３ｂの内、前記吊り下げワイヤ２１が接当する部分は、摩擦低減と耐久性向上のためにローラ２３ｃで構成してある。
前記遮光蓋２４は、円盤形状に形成してあり、その中央部分に前記第二滑車２０の第二ロックピン挿入部２０ｂが下方から貫入自在な蓋付きの貫通孔２４ａと、前記吊り下げワイヤ２１を挿通させる複数の挿通孔２４ｂとを設けてある。また、遮光蓋２４の外径寸法は、前記筒部材２２の外径より大きな直径に形成してあり、前記挿通孔２４ｂに挿通させた吊り下げワイヤ２１の左右の揺れに伴って遮光蓋２４が左右にずれても、シール部材２２ａ上から外れずに、確実に遮光できるように構成してある（図８参照）。
また、前記挿通孔２４ｂ部分には、図９・１０に示すように、前記吊り下げワイヤ２１を挟み込む状態に配置された一対の鼓形状保持ローラ２５を設けてあり、吊り下げワイヤ２１の上下移動をスムースに許容すると共に、吊り下げワイヤ２１外周部からの光の漏れを防止できるように構成してある。そして、前記保持ローラ２５を取り付けてある部分には、板金製のカバー２６を設置してあり、光の漏れ防止をより確実にできるようにしてある。尚、前記カバー２６及び遮光蓋本体におけるワイヤー挿通部分には、図９に示すように、金属製の浮動ブッシュリング２７をそれぞれ、内嵌させてある。
【００１４】
前記吊り下げ具１７の使用形態を説明する。
まず、使用しない時には、前述のように、前記ロック手段Ｒによって、上下の第一・第二滑車１９，２０をロックしておく（図６（イ）参照）。
また、天井１０下の、例えば棚状トラス部材１６等の吊り下げ対象物を吊り上げる場合には、ロック手段Ｒを解除して、第二滑車２０を下げる（図６（ロ）参照）。但し、図６（イ）に示す状態では、第二滑車２０上に前記遮光蓋２４が載置された状態であり、前記吊り下げ口１８は、扉２３によって閉状態にしてあり、天井の遮光状態が維持されている。そして、前記筒部材２２内空部まで第二滑車２０が降ろされると、前記遮光蓋２４は、筒部材２２上に被さり、筒部材２２からの光の漏れがない状態になり、そのまま第二滑車２０を降ろしても、遮光性を保つことができる（図６（ロ）参照）。前記第二滑車２０の下降に伴って、前記扉は開き、天井面から下方へ第二滑車２０（吊り下げワイヤ２１を含む）を下げることができる。そして、前記第二滑車２０の取付部２０ａを棚状トラス部材１６に取り付けて所定の高さまで引き上げることによって、前記棚状トラス部材１６を所定の位置にセットすることができる。
〔別実施形態〕
以下に他の実施の形態を説明する。
【００１５】
〈１〉  本発明に係わる建物は、先の実施形態で説明したドーム状建造物に限るものではなく、種々の形状・用途の建物であってもよく、要するに、透光性屋根を設け、前記屋根の下方に、光を遮断自在な天井を設けてある建物であればよく、それを総称して建物という。
〈２〉  前記天井は、先の実施形態で説明した複数分割された遮光体によって構成されるものに限るものではなく、例えば、透光状態と遮光状態とを電気的に切り替え自在な液晶板によって構成してあるものであってもよく、それらを総称して天井という。
【００１６】
尚、特許請求の範囲の項に、図面との対照を便利にするために符号を記すが、該記入により本発明は添付図面の構成に限定されるものではない。
【図面の簡単な説明】
【図１】建物の断面図
【図２】遮光体の配置を示す概要図
【図３】遮光体の配置を示す概要図
【図４】遮光体の配置を示す概要図
【図５】吊り下げ具による吊り下げ状況を示す建物断面図
【図６】吊り下げ具の作用説明図
【図７】吊り下げ口の断面図
【図８】吊り下げ具の断面図
【図９】遮光蓋の要部断面図
【図１０】遮光蓋の要部断面図
【符号の説明】
４      屋根
１０    天井
１７    吊り下げ具
１８    吊り下げ口
２１    吊り下げワイヤ
２３    扉
２４    遮光蓋
２４ｂ  挿通孔
【図１】
0003585311.tif 000002
【図２】
0003585311.tif 000003
【図３】
0003585311.tif 000004
【図４】
0003585311.tif 000005
【図５】
0003585311.tif 000006
【図６】
0003585311.tif 000007
【図７】
0003585311.tif 000008
【図８】
0003585311.tif 000009
【図９】
0003585311.tif 000010
【図１０】
0003585311.tif 000011